(57)【特許請求の範囲】
【請求項１】
複数の遠心式流体機械の内から、要求する性能の遠心式流体機械を選定する遠心式流体機械の選定装置において、
要求する遠心式流体機械の性能データを入力する入力装置と、
前記複数の遠心式流体機械のそれぞれの性能範囲に関するデータであって、羽根車の径を第１の値とした場合の第１の流量−揚程特性曲線に基づいて作成された選定上限を表す曲線又は直線、他の部品を変更しないで羽根車の径のみを第２の値に変更した場合の第２の流量−揚程特性曲線に基づいて作成された選定下限を表す曲線又は直線、前記選定上限を表す曲線又は直線と前記選定下限を表す曲線又は直線とを連結するスタート線、及び前記選定上限を表す曲線又は直線と前記選定下限を表す曲線又は直線とを連結するエンド線で囲まれる範囲を示すデータと各遠心式流体機械の選定優先順位とを記憶した記憶装置と、
前記入力装置により入力された遠心式流体機械の性能データが、前記記憶装置に記憶された複数の遠心式流体機械の内の何れの遠心式流体機械の性能範囲に含まれるかを、前記記憶装置に記憶された選定優先順位の高い遠心式流体機械を優先しながら選定する選定部と、
前記選定部により選定された遠心式流体機械に関する情報を出力する出力装置と、
を備えたことを特徴とする遠心式流体機械の選定装置。
【請求項２】
複数の遠心式流体機械の内から、要求する性能の遠心式流体機械を選定する遠心式流体機械の選定方法において、
前記複数の遠心式流体機械のそれぞれの性能範囲に関するデータであって、羽根車の径を第１の値とした場合の第１の流量−揚程特性曲線に基づいて作成された選定上限を表す曲線又は直線、他の部品を変更しないで羽根車の径のみを第２の値に変更した場合の第２の流量−揚程特性曲線に基づいて作成された選定下限を表す曲線又は直線、前記選定上限を表す曲線又は直線と前記選定下限を表す曲線又は直線とを連結するスタート線、及び前記選定上限を表す曲線又は直線と前記選定下限を表す曲線又は直線とを連結するエンド線で囲まれる範囲を示すデータを予め記憶装置に記憶しておき、その際各遠心式流体機械に選定優先順位をつけておき、
要求する遠心式流体機械の性能データを入力し、
入力された遠心式流体機械の性能データが、前記記憶装置に記憶された複数の遠心式流体機械の内の何れの遠心式流体機械の性能範囲に含まれるかを、前記記憶装置に記憶された選定優先順位の高い遠心式流体機械を優先しながら選定することを特徴とする遠心式流体機械の選定方法。
【請求項３】
要求する遠心式流体機械の性能データを入力する手順と、
記憶装置に予め記憶された複数の遠心式流体機械のそれぞれの性能範囲に関するデータであって、羽根車の径を第１の値とした場合の第１の流量−揚程特性曲線に基づいて作成された選定上限を表す曲線又は直線、他の部品を変更しないで羽根車の径のみを第２の値に変更した場合の第２の流量−揚程特性曲線に基づいて作成された選定下限を表す曲線又は直線、前記選定上限を表す曲線又は直線と前記選定下限を表す曲線又は直線とを連結するスタート線、及び前記選定上限を表す曲線又は直線と前記選定下限を表す曲線又は直線とを連結するエンド線で囲まれる範囲を示すデータと、記憶装置に予め記憶された各遠心式流体機械の選定優先順位とを用いて、前記入力した遠心式流体機械の性能データが、前記記憶装置に記憶された複数の遠心式流体機械の内の何れの遠心式流体機械の性能範囲に含まれるかを、前記記憶装置に記憶された選定優先順位の高い遠心式流体機械を優先しながら選定する手順と、
選定された遠心式流体機械に関する情報を出力する手順と、
をコンピュータに実行させるプログラムを記録したコンピュータ読み取り可能な記録媒体。
【発明の詳細な説明】
【技術分野】
【０００１】
本発明は、複数の遠心式流体機械の内から、要求する性能の遠心式流体機械を選定する遠心式流体機械の選定装置に関するものである。また本発明は、コンピュータによる遠心式流体機械の選定方法及び遠心式流体機械の選定プログラムを記録したコンピュータ読み取り可能な記録媒体に関するものである。
【背景技術】
【０００２】
遠心式流体機械、例えばポンプにはそのポンプに適する性能範囲がある。具体的に流量−揚程特性（Ｑ−Ｈ特性）について述べると、図４に示すように、ポンプケーシングなどの部品を変更しないでその内部に収納する羽根車の径だけを変更して例えば１００ｍｍとした場合のＱ−Ｈ特性曲線Ｙ１と、羽根車の径をその半分の５０ｍｍとした場合のＱ−Ｈ特性曲線Ｙ２との間の流量及び揚程が、このポンプに適する性能範囲である。なお、図４に示す左右の実線ＳＴＡ，ＥＮＤは、それぞれスタート線，エンド線である。ポンプは、例え要求される性能（流量と揚程）を満足する場合でも、その流量が多すぎたり少なすぎたりすると効率が悪くなる。そして効率の悪い状態でポンプを運転するとランニングコスト等が高くなってしまうので、そのような部分をポンプの性能範囲に含めないようにするため、スタート線ＳＴＡとエンド線ＥＮＤとが設けられている。
【０００３】
従来、例えば、客先から所望の性能（例えば流量と揚程）のポンプが要求された場合、多数種類あるポンプの内から以下のようにしてその性能を発揮するのに最も有効なポンプ（口径・型番）を選定していた。
予めポンプ毎に異なる性能範囲を、図５に示すような形でコンピュータの記憶装置に記憶しておく。そのときの各ポンプの性能範囲は、相互に重なり合う部分を有するが、相互に重なり合う部分については、重なり合うポンプの内の何れかのポンプを優先して選定するようにしている。図５ではその優先順位を番号１〜７で示し、優先するものが手前側（図５において実線は手前側にあることを示し、点線はこの実線部分よりも後ろ側にあることを示している）となるように表示されている。何れのポンプを優先するかは、同一性能を発揮するのに何れの口径・型番のポンプがよりコスト的に有利か等の各種条件によって予め人為的に決めている。
【０００４】
そして客先が要求する性能（流量と揚程）データをコンピュータに入力すると、コンピュータは入力された要求性能データを図５に示すデータと比較してどのポンプの性能範囲に入るかを検出し、検出したポンプ（その口径・型番）を出力するようにしていた。
しかしながら、図５に示すデータは、各ポンプの性能範囲が入り組んでいる。単純な形状なのは最も優先順位の高い番号１，２のポンプ性能範囲のみで、それ以外のポンプの性能範囲はそれよりも優先順位の高いポンプの性能範囲がかぶさることで複雑な形状となっている。このため、このような複雑な形状の部分に入るか否かを検出するには、複雑な計算と複雑なデータが必要で、その処理プログラムが複雑になるばかりか、選定処理時間が長くかかってしまうという問題点があった。
【発明の開示】
【発明が解決しようとする課題】
【０００５】
本発明は上述の問題点に鑑みてなされたもので、その目的は、優先順位のある多数の遠心式流体機械の中から容易に所望の性能の遠心式流体機械を選定できる遠心式流体機械の選定装置を提供することにある。また、本発明の他の目的は、コンピュータによる遠心式流体機械の選定方法及び遠心式流体機械の選定プログラムを記録したコンピュータ読み取り可能な記録媒体を提供することにある。
【課題を解決するための手段】
【０００６】
上記問題点を解決するため、本発明は、複数の遠心式流体機械の内から、要求する性能の遠心式流体機械を選定する遠心式流体機械の選定装置において、要求する遠心式流体機械の性能データを入力する入力装置と、上記複数の遠心式流体機械のそれぞれの性能範囲に関するデータであって、羽根車の径を第１の値とした場合の第１の流量−揚程特性曲線に基づいて作成された選定上限を表す曲線又は直線、他の部品を変更しないで羽根車の径のみを第２の値に変更した場合の第２の流量−揚程特性曲線に基づいて作成された選定下限を表す曲線又は直線、上記選定上限を表す曲線又は直線と上記選定下限を表す曲線又は直線とを連結するスタート線、及び上記選定上限を表す曲線又は直線と上記選定下限を表す曲線又は直線とを連結するエンド線で囲まれる範囲を示すデータと各遠心式流体機械の選定優先順位とを記憶した記憶装置と、上記入力装置により入力された遠心式流体機械の性能データが、上記記憶装置に記憶された複数の遠心式流体機械の内の何れの遠心式流体機械の性能範囲に含まれるかを、上記記憶装置に記憶された選定優先順位の高い遠心式流体機械を優先しながら選定する選定部と、上記選定部により選定された遠心式流体機械に関する情報を出力する出力装置と、を備えたことを特徴とする。
【０００７】
また、複数の遠心式流体機械の内から、要求する性能の遠心式流体機械を選定するコンピュータによる遠心式流体機械の選定方法において、上記複数の遠心式流体機械のそれぞれの性能範囲に関するデータであって、羽根車の径を第１の値とした場合の第１の流量−揚程特性曲線に基づいて作成された選定上限を表す曲線又は直線、他の部品を変更しないで羽根車の径のみを第２の値に変更した場合の第２の流量−揚程特性曲線に基づいて作成された選定下限を表す曲線又は直線、上記選定上限を表す曲線又は直線と上記選定下限を表す曲線又は直線とを連結するスタート線、及び上記選定上限を表す曲線又は直線と上記選定下限を表す曲線又は直線とを連結するエンド線で囲まれる範囲を示すデータで囲まれる範囲を示すデータを予め記憶装置に記憶しておき、その際各遠心式流体機械に選定優先順位をつけておき、要求する遠心式流体機械の性能データを入力し、入力された遠心式流体機械の性能データが、上記記憶装置に記憶された上記複数の遠心式流体機械の内の何れの遠心式流体機械の性能範囲に含まれるかを、上記記憶装置に記憶された選定優先順位の高い遠心式流体機械を優先しながら選定するようにした。
【０００８】
このようにして遠心式流体機械を選定すれば、各遠心式流体機械の性能範囲と要求する性能との比較が容易になり、その計算及び処理プログラムが簡単になって選定処理時間を短縮することができる。
なお上記遠心式流体機械の性能とは、例えば流量−揚程特性に係る性能、流量−効率特性に係る性能、流量−吸込（ＮＰＳＨ）特性に係る性能、又は流量−動力特性に係る性能などである。また遠心式流体機械の性能範囲とは、その遠心式流体機械に適する性能（例えば流量−揚程に関する性能）の範囲である。
【０００９】
ところでこのようなコンピュータによる遠心式流体機械の選定方法は、遠心式流体機械の選定プログラムにより実現され、このプログラムは記録媒体に記録して提供される。
即ち、本発明は、要求する遠心式流体機械の性能データを入力する手順と、記憶装置に予め記憶された複数の遠心式流体機械のそれぞれの性能範囲に関するデータであって、羽根車の径を第１の値とした場合の第１の流量−揚程特性曲線に基づいて作成された選定上限を表す曲線又は直線、他の部品を変更しないで羽根車の径のみを第２の値に変更した場合の第２の流量−揚程特性曲線に基づいて作成された選定下限を表す曲線又は直線、上記選定上限を表す曲線又は直線と上記選定下限を表す曲線又は直線とを連結するスタート線、及び上記選定上限を表す曲線又は直線と上記選定下限を表す曲線又は直線とを連結するエンド線で囲まれる範囲を示すデータエンド線で囲まれる範囲を示すデータと、記憶装置に予め記憶された各遠心式流体機械の選定優先順位とを用いて、上記入力した遠心式流体機械の性能データが、上記記憶装置に記憶された複数の遠心式流体機械の内の何れの遠心式流体機械の性能範囲に含まれるかを、上記記憶装置に記憶された選定優先順位の高い遠心式流体機械を優先しながら選定する手順と、選定された遠心式流体機械に関する情報を出力する手順と、をコンピュータに実行させるプログラムを記録したコンピュータ読み取り可能な記録媒体を提供する。
【発明の効果】
【００１０】
本発明によれば、優先順位のある多数の遠心式流体機械の中から容易に所望の性能の遠心式流体機械を選定できるという優れた効果を有する。
【発明を実施するための最良の形態】
【００１１】
以下、本発明に係る遠心式流体機械の選定装置の一実施形態を図面に基づいて詳細に説明する。
図１は本実施形態における遠心式流体機械の選定装置のハードウェア構成の一例を示す図である。本実施形態における遠心式流体機械の選定装置１は、一般的なコンピュータなどにより構成されるもので、図１に示すように、中央処理演算部（ＣＰＵ）１１と、キーボードやマウス等の入力装置１２と、ディスプレイなどの出力装置１３と、ＲＯＭ１４，ＲＡＭ１５，ハードディスク１６を含む記憶装置とを備えている。
【００１２】
選定装置１のハードディスク１６には、ＯＳ（Operating  System）と協動してＣＰＵ１１等に命令を与え、所定の処理を行なうためのコンピュータプログラム（選定プログラム）１６１が格納されている。このコンピュータプログラム１６１は、ＲＡＭ１５にロードされることによって実行され、これがＣＰＵ１１と協動することによって後述する選定部１１１が構成され、所定の処理が行なわれる。
【００１３】
また、上記ハードディスク１６には、複数のポンプの性能範囲に関するデータ１６２が、図３Ａ乃至図３Ｇに示すような形でそれぞれ別々のデータとして記憶されている。ここで、図３Ａ乃至図３Ｇは同一機種（シリーズ）に含まれる複数のポンプ（口径・型番）の性能範囲を示している。上記複数のポンプの性能範囲は、これらを重ね合わせると図５に示すような図になる。なお、図３Ａ乃至図３Ｇのような線分そのものを記憶しておく代わりに、各ポンプの流量や揚程などの性能データを記憶した性能ファイルを記憶装置１４〜１６に格納し、この性能ファイルから流量と揚程のデータを必要に応じて読み出してその都度上記線分を創生するようにしても良い。また、各ポンプには、ポンプを選定する際の選定優先順位（シークエンスＮｏ．）が予め設定されており、これらの選定優先順位データ１６３がハードディスク１６に記憶されている。なお、コンピュータプログラム１６１、ポンプの性能範囲に関するデータ１６２、及び選定優先順位データ１６３をハードディスク１６ではなく他の記憶装置に記憶することとしても良い。
【００１４】
次に、本発明に係る遠心式流体機械の選定装置を用いて、遠心式流体機械を選定する場合の手順について説明する。
図２は本発明に係るポンプ（遠心式流体機械）の選定方法の概略フローチャートである。
客先から所望の性能のポンプが要求された場合、図２に示すように、まずカウンタｎをｎ＝０として （ステップ１）、その要求性能データをキーボードやマウスなどの入力装置１２を用いて入力する（ステップ２）。入力装置１２により要求性能データが入力されると、カウンタｎを１つ増加させてｎ＝ｎ＋１、即ちｎ＝１とする（ステップ３）。そして、シークエンスＮｏ．ｎ（選定優先順位ｎ番）、即ちシークエンスＮｏ．１のポンプの性能範囲に関するデータ、即ち図３Ａに示すデータが選定部１１１により記憶装置１６から取り込まれる（ステップ４）。
【００１５】
そして、この取り込まれた性能範囲内に、入力された要求性能が含まれるか否かが選定部１１１により判断される（ステップ５）。入力された要求性能がシークエンスＮｏ．ｎのポンプの性能範囲、即ちＮｏ．１のポンプの性能範囲に含まれる場合には、そのシークエンスＮｏ．ｎ、即ちＮｏ．１のポンプが選定され、そのポンプに関する情報、例えば口径・型番がディスプレイなどの出力装置１３に出力され（ステップ６）、プログラムが終了する。
【００１６】
一方、ステップ５においてＮｏ．１のポンプの性能範囲内に要求性能が含まれない場合は、ステップ３に戻ってカウンタｎを１つ増加させてｎ＝２とし、シークエンスＮｏ．２のポンプの性能範囲に関するデータが記憶装置１６から取り込まれる（ステップ４）。そして上記と同様に、選定部１１１によりその性能範囲内に要求性能が含まれるか否かが判断され（ステップ５）、含まれればステップ６でそのポンプの口径・型番が出力され、含まれなければステップ３に戻って同様に次の優先順位のポンプの性能範囲と比較していき、最適なポンプを選定していく。
【００１７】
このように本発明の遠心式流体機械の選定装置によれば、各ポンプの性能範囲に関するデータを別々にして要求する性能と比較するようにしたので、各性能範囲と要求性能との比較が容易になり、計算が簡単になってその処理プログラムが簡単になり、選定処理時間が短くなる。
【００１８】
以上本発明の実施形態を説明したが、本発明は上記実施形態に限定されるものではなく、請求の範囲、及び明細書と図面に記載された技術的思想の範囲内において種々の変形が可能である。
例えば上記実施形態では、要求される性能を優先順位の高いポンプの性能範囲から比較していくようなフローとしたが、その代わりに、予め図３Ａ乃至図３Ｇに示すポンプの性能範囲の各々（全て）に要求性能が入るか否かを検出し、複数のポンプの性能範囲に要求性能が入る場合は、その内の選定優先順位の高いポンプの方を選定するなど、他の各種フローで構成することもできる。要は、要求するポンプ性能が複数のポンプの内の何れのポンプの性能範囲に入るか否かを、選定優先順位の高いポンプを優先しながら選定するものであれば、どのようなフローであっても良い。
【００１９】
また上記実施形態では要求性能が流量−揚程特性についてのものであったが、要求性能が他の特性、例えば流量−効率特性や、流量−吸込ロス特性や、流量−動力特性などについてである場合も、上記実施形態と同様の方法によって、その要求性能を満たすポンプを容易に選定することができる。
また本発明はポンプだけでなく、ファン等、他の遠心式流体機械にも適用できる。
【００２０】
以上詳細に説明したように本発明によれば、優先順位のある多数の遠心式流体機械の中から容易に所望の性能の遠心式流体機械を選定できるという優れた効果を有する。
【産業上の利用可能性】
【００２１】
本発明は、複数の遠心式流体機械の内から、要求する性能の遠心式流体機械を選定する遠心式流体機械の選定装置、コンピュータによる遠心式流体機械の選定方法、及び遠心式流体機械の選定プログラムを記録したコンピュータ読み取り可能な記録媒体に好適である。
【図面の簡単な説明】
【００２２】
【図１】図１は本発明の一実施形態における遠心式流体機械の選定装置のハードウェア構成の一例を示すブロック図である。
【図２】図２は本発明に係るポンプ選定方法の概略フローチャートである。
【図３】図３Ａ乃至図３Ｇはそれぞれ異なるポンプ（口径・型番）の性能範囲を示す図である。
【図４】図４は一台のポンプの流量−揚程特性における性能範囲を示す図である。
【図５】図５は複数のポンプ（口径・型番）の性能範囲を示す図である。
【図１】
0004169512.tif 000002
【図２】
0004169512.tif 000003
【図３Ａ】
0004169512.tif 000004
【図３Ｂ】
0004169512.tif 000005
【図３Ｃ】
0004169512.tif 000006
【図３Ｄ】
0004169512.tif 000007
【図３Ｅ】
0004169512.tif 000008
【図３Ｆ】
0004169512.tif 000009
【図３Ｇ】
0004169512.tif 000010
【図４】
0004169512.tif 000011
【図５】
0004169512.tif 000012